(57)【要約】【課題】自動二輪車を代表例として、駐車ブレーキを具備しない車輌に対し、駐車ブレーキ作用を発揮できるようにするための新たなレバーロック装置を開発することを技術課題とした。【解決手段】一対のロック要素片１１、１２を具え、各ロック要素片１１、１２はその一端を共にピン接続される基端とすると共に、他端側を開閉自在の自由端部とした一対のロック要素片１１、１２による挟み構造を構成し、各ロック要素片１１、１２の一方又は双方には、グリップ保持凹部２１とレバー保持凹部３２との何れか一方又は双方が形成され、各ロック要素片１１、１２を閉鎖状態とした状態において、全体としてグリップ保持孔２とレバー保持孔３とが形成され、更に前記各ロック要素片１１、１２の自由端部は、互いにスナップ係合による閉鎖維持がされることを特徴として成る。【選択図】図３
2019162958.tif 000002
【特許請求の範囲】
【請求項１】
一対のロック要素片を具え、各ロック要素片はその一端を共にピン接続される基端とすると共に、他端側を開閉自在の自由端部とした一対のロック要素片による挟み構造を構成し、
各ロック要素片の一方又は双方には、グリップ保持凹部とレバー保持凹部との何れか一方又は双方が形成され、
各ロック要素片を閉鎖状態とした状態において、全体としてグリップ保持孔とレバー保持孔とが形成され、
更に前記各ロック要素片の自由端部は、互いにスナップ係合による閉鎖維持がされることを特徴とするレバーロック装置。
【請求項２】
前記グリップ保持凹部とレバー保持凹部とは、その間に仕切突起が形成され、ロック要素片の閉鎖状態において、グリップ保持孔とレバー保持孔とが独立して形成されるように構成されていることを特徴とする請求項１記載のレバーロック装置。
【請求項３】
前記一対のロック要素片は、それぞれ対向する位置にグリップ保持凹部とレバー保持凹部とが具えられていることを特徴とする請求項１または２記載のレバーロック装置。
【請求項４】
前記仕切突起は、一対のロック要素片の双方に形成され、且つロック要素片双方の仕切突起は、互いに一部が幅方向に重なり状に形成され、この重なり部には、連通するロック用孔が形成されていることを特徴とする請求項２または３記載のレバーロック装置。
【請求項５】
前記ロック要素片におけるグリップ保持凹部が形成される部位は、少なくとも基端部側において自由端側より幅広に形成されていることを特徴とする請求項１、２、３または４記載のレバーロック装置。
【請求項６】
前記ロック要素片の自由端側におけるスナップ係合は、一方のロック要素片の自由端部が、他方のロック要素片の自由端部の外側に配置される外押え構造であり、
互いの突合わせ面に弾性的に係脱できる凹凸によりスナップ係合が図られていることを特徴とする請求項１、２、３、４または５記載のレバーロック装置。
【請求項７】
前記外押え構造における外押え側のロック要素片には、その自由端部に操作突起が形成されていることを特徴とする請求項６記載のレバーロック装置。
【発明の詳細な説明】
【技術分野】
【０００１】
本発明は自動二輪車を代表例として、駐車ブレーキを具備しない車輌に対し、駐車ブレーキ作用を発揮できるようにするためのレバーロック装置に関する。
【背景技術】
【０００２】
自動二輪車や、前二輪のリバーストライク等の車輌にあっては、駐車ブレーキを殆ど具えていない。
このような自動二輪車によって駐車する場合、傾斜によって車輌が不用意に動き出した場合、車輌の転倒等を引き起こしてしまう恐れがある。特にスポーツ用自動二輪車で、サイドスタンドのみの車輌が増えていることから、このような恐れが常に生じている。
このためユーザーは、駐車場所が傾斜している場合には、変速ギアをロー位置にシフトして後輪とエンジンとを接続状態として、停止しているエンジンの抵抗によって、代替的な駐車ブレーキをかけた状態としている。
しかしながら傾斜が緩くそれ程意識されない場合、このような対応を取り忘れたり、更にはそもそも自動変速タイプのスクータ等では、このような対応は取り得ない。
【０００３】
このため主としてブレーキレバーを手前に引き、ブレーキを効かせた状態を維持できるようにしたレバーホルダーが市場に提供されている（例えば特許文献１参照）。
これらはそれぞれ目的とする機能は発揮しているが、ユーザーからの視点からは、まず、強度面で確実な作用が期待できること、取り付け・取り外し操作等が簡便にできること、使用している際のレバーホルダーによる装飾性の高いグリップへの傷付けが生じないこと、更には使用時のセキュリティ対応が取り得ること、携行がし易いこと等の種々の要請があった。
このような要請の視点からすると、これらを総合的に満たすレバーロック装置は見出せない。
【先行技術文献】
【特許文献】
【０００４】
【特許文献１】実開昭６２−７７公報
【発明の概要】
【発明が解決しようとする課題】
【０００５】
本発明はこのような背景を考慮して為されたものであって、自動二輪車を代表例として、駐車ブレーキを具備しない車輌に対し、駐車ブレーキ作用を発揮できるようにするための新たなレバーロック装置を開発することを技術課題としたものであるである。
【課題を解決するための手段】
【０００６】
まず請求項１記載のレバーロック装置は、  一対のロック要素片を具え、各ロック要素片はその一端を共にピン接続される基端とすると共に、他端側を開閉自在の自由端部とした一対のロック要素片による挟み構造を構成し、各ロック要素片の一方又は双方には、グリップ保持凹部とレバー保持凹部との何れか一方又は双方が形成され、各ロック要素片を閉鎖状態とした状態において、全体としてグリップ保持孔とレバー保持孔とが形成され、更に前記各ロック要素片の自由端部は、互いにスナップ係合による閉鎖維持がされることを特徴として成るものである。
【０００７】
また請求項２記載のレバーロック装置は、前記要件に加え、前記グリップ保持凹部とレバー保持凹部とは、その間に仕切突起が形成され、ロック要素片の閉鎖状態において、グリップ保持孔とレバー保持孔とが独立して形成されるように構成されていることを特徴として成るものである。
【０００８】
更にまた請求項３記載のレバーロック装置は、前記要件に加え、前記一対のロック要素片は、それぞれ対向する位置にグリップ保持凹部とレバー保持凹部とが具えられていることを特徴として成るものである。
【０００９】
更にまた請求項４記載のレバーロック装置は、前記請求項２または３記載の要件に加え、前記仕切突起は、一対のロック要素片の双方に形成され、且つロック要素片双方の仕切突起は、互いに一部が幅方向に重なり状に形成され、この重なり部には、連通するロック用孔が形成されていることを特徴として成るものである。
【００１０】
更にまた請求項５記載のレバーロック装置は、前記要件に加え、前記ロック要素片におけるグリップ保持凹部が形成される部位は、少なくとも基端部側において自由端側より幅広に形成されていることを特徴として成るものである。
【００１１】
更にまた請求項６記載のレバーロック装置は、前記要件に加え、前記ロック要素片の自由端側におけるスナップ係合は、一方のロック要素片の自由端部が、他方のロック要素片の自由端部の外側に配置される外押え構造であり、互いの突合わせ面に弾性的に係脱できる凹凸によりスナップ係合が図られていることを特徴として成るものである。
【００１２】
更にまた請求項７記載のレバーロック装置は、前記請求項６記載の要件に加え、前記外押え構造における外押え側のロック要素片には、その自由端部に操作突起が形成されていることを特徴として成るものである。
そしてこれら各請求項記載の構成を手段として前記課題の解決が図られる。
【発明の効果】
【００１３】
まず請求項１記載の発明によれば、一対のロック要素片を閉鎖状態とすることにより、グリップ保持孔内にグリップを位置させ、レバー保持孔内にブレーキのレバーを位置させてブレーキを効かせた状態を維持することができる。そしてこのブレーキを効かせた状態を、スナップ係合によって簡便に維持・解除することができる。
【００１４】
また請求項２記載の発明によれば、グリップ保持孔とレバー保持孔とが独立して形成されているため、グリップ及びレバーの保持を確実に行うことができる。
【００１５】
更に請求項３記載の発明によれば、一対のロック要素片を閉鎖状態としたときに、グリップ保持孔及びレバー保持孔を形成することができる。
【００１６】
更にまた請求項４記載の発明によれば、一対のロック要素片の重なり部に形成されるロック用孔に、南京錠等を施錠することにより、一対のロック要素片の閉鎖状態を確実に維持して、スナップ係合の解除を防止することができる。
【００１７】
更にまた請求項５記載の発明によれば、レバーの戻り力が最も強く作用するグリップ保持凹部における基端部分において、作用面積を広くとることにより力が分散されるため、装飾性の高いグリップへの傷付けを防止することができる。
【００１８】
更にまた請求項６記載の発明によれば、レバーの戻り力がスナップ係合部の内側に作用することによって、凹凸部の係合を強くすることができる。
【００１９】
更にまた請求項７記載の発明によれば、スナップ係合部の係脱を、容易に且つ確実に行うことが可能となる。
【図面の簡単な説明】
【００２０】
【図１】傾斜場所での駐車時における本発明のレバーロック装置が組み付けられた車輌としてのオートバイを一部拡大して示す斜視図である。
【図２】メンテナンススタンド使用時における本発明のレバーロック装置が組み付けられた車輌としてのオートバイを一部拡大して示す斜視図である。
【図３】ロック要素片を示す平面図（ａ）並びにレバーロック装置を示す分解斜視図（ｂ）、平面図（ｃ）、（ｄ）及び側面図（ｅ）である。
【図４】レバーロック装置がグリップ及びレバーに組み付けられる様子を段階的に示す斜視図である。
【図５】本発明の他の実施例を示す側面図（ａ）、（ｂ）、（ｃ）、（ｄ）及び斜視図（ｅ）である。
【発明を実施するための形態】
【００２１】
本発明を実施するための形態は、以下述べる実施例をその一つとするものであるとともに、この技術思想に基づく種々の改良した実施例も含むものである。
【実施例】
【００２２】
以下本発明を図１〜８に示す基本となる構成に基づいて具体的に説明する。
図中符号１で示すものが本発明のレバーロック装置であって、このものは自動二輪車や、前二輪のリバーストライク等の駐車ブレーキを具えていない車輌Ｂを駐車する場合、スタンドＳを用いて車輌Ｂの自立状態を維持した状態で、更にブレーキレバー（以下レバーＬと略記する）を手前すなわちグリップＧ側に引いてブレーキを効かせた状態を維持できるようにするものである。
【００２３】
以下、レバーロック装置１の構成について詳しく説明すると、このものは、一対のロック要素片１１、１２を具え、各ロック要素片１１、１２は、その一端を共にピン１３により接続される基端とすると共に、他端側を開閉自在の自由端部とした一対のロック要素片１１、１２による挟み構造を構成して成るものである。
一例として図３（ａ）、（ｂ）に示すようにロック要素片１１の基端部にボス１１１が形成され、一方、ロック要素片１２の基端部にボス１２１、１２２が適宜の間隔を空けて形成され、図３（ｂ）に示すようにボス１２１、１２２の間にボス１１１を位置させた状態でピン１３を用いて、これらが図３（ｃ）、（ｄ）に示すように開閉自在に一体化される。
なお上記ロック要素片１１、１２及びピン１３の素材としては、一例として高強度のＰＰ材とガラス繊維の複合樹脂が用いられる。もちろんこの他にも所要の強度が確保される適宜の樹脂素材を用いることもできる。
【００２４】
また一例としてロック要素片１１には、グリップ保持凹部２１とレバー保持凹部３１が形成され、ロック要素片１２のには、グリップ保持凹部２２とレバー保持凹部３２が形成されるものであり、この実施例では、前記一対のロック要素片１１、１２は、それぞれ対向する位置にグリップ保持凹部２１、２２とレバー保持凹部３１、３２とが具えられるようにした。
そしてこのような構成が採られることにより、図３（ｄ）に示すように各ロック要素片１１、１２を閉鎖状態とした状態において、全体としてグリップ保持孔２とレバー保持孔３とが形成される。
なおロック要素片１１、１２のいずれか一方にグリップ保持凹部２１、２２またはレバー保持凹部３１、３２を形成するようにしてもよく、このような実施例については後ほど説明する。
【００２５】
またこの実施例では、前記グリップ保持凹部２１とレバー保持凹部３１との間に仕切突起５１が形成され、更にグリップ保持凹部２２とレバー保持凹部３２との間に仕切突起５２が形成され、図３（ｄ）に示すロック要素片１１、１２の閉鎖状態において、グリップ保持孔２とレバー保持孔３とが仕切５の両側に独立して形成されるように構成されている。
またこの実施例では、仕切突起５１、５２は、互いに一部が幅方向に重なり状に形成され、この重なり部にはロック用孔５１０、５２０が形成されており、図３（ｄ）に示すロック要素片１１、１２の閉鎖状態において、ロック用孔５１０、５２０が連通してロック用孔５０が形成される。
なおこの実施例では、ロック要素片１１における仕切突起５１を、ロック要素片１２における仕切突起５２よりも長く設定し、後述するように仕切突起５１が仕切突起５２上に重なるようにした。
またこの実施例では、ロック要素片１１における仕切突起５１に、多機能孔５１１を形成するようにした。
【００２６】
更に前記各ロック要素片１１、１２の自由端部は、互いにスナップ係合による閉鎖維持が成されるようなスナップ係合部６が構成されるものであり、この実施例では一例としてロック要素片１２の自由端部が、ロック要素片１１の自由端部の外側に配置される外押え構造が採られるものであり、互いの突合わせ面に弾性的に係脱できる凹凸としての係合凸部６１、係合凹部６２がロック要素片１１、１２に形成される。
具体的には、ロック要素片１１の自由端部が前記仕切突起５１に沿うように屈曲形成され、その先端部の外側部分に係合凸部６１が形成される。一方、ロック要素片１２においても、自由端部が前記仕切突起５２に沿うように屈曲形成され、その屈曲部の懐部分に係合凹部６２が形成される。
【００２７】
またこの実施例では、前記スナップ係合部６の外押え構造における外押え側のロック要素片１２には、その自由端部に操作突起７が形成されるものであり、屈曲形成された自由端部の屈曲部位が外側に張り出した状態とされている。なお操作突起７の側面には凹凸形成された滑止７１が設けられる。
【００２８】
またこの実施例では図３（ｅ）に示すように、前記ロック要素片１１、１２におけるグリップ保持凹部２１、２２が形成される部位は、少なくとも基端部側において自由端側より幅広に形成されている。
なおこのようにグリップ保持凹部２１、２２の幅にテーパー状の変化を持たせることで、原動機付自転車からビックバイクまで幅広い車種に対応可能することが可能となる。
【００２９】
本発明のレバーロック装置１は一例として上述したような構成が採られるものであり、以下、その使用態様について説明する。
具体的には図１に示すように、自動動二輪車等の車輌Ｂを傾斜面等に駐車する場合、まずスタンドＳ（サイドスタンド）を用いて車輌Ｂの自立状態を維持した状態とする。
【００３０】
次いで図４（ａ）に示すように、ロック要素片１１、１２を拡開し、ロック要素片１１を上側にし、グリップ保持凹部２１、２２が上下からグリップＧを包み込むような状態とする。
【００３１】
次いで図４（ｂ）に示すように、レバーＬを引くとともにその自由端側の部位をレバー保持凹部３１内に位置させ、更にグリップＧをグリップ保持凹部２１に接触させた状態とする。
なおこの実施例では、仕切突起５１が仕切突起５２よりも長く設定され、仕切突起５１はグリップＧを略３／４周包囲することができるため（図３（ｃ）、（ｅ）参照）、ロック要素片１１単独でレバーＬを引いた状態を維持することができるものであり、極短時間のあいだ駐車ブレーキ作用を発揮させたい場合等には、この状態での使用も可能である。
【００３２】
次いで図４（ｃ）に示すように、ロック要素片１２を下方から上方に回動させ、仕切突起５１が仕切突起５２上に重なるようにするとともに、係合凸部６１と係合凹部６２とを係合させ、ロック要素片１１、１２の自由端部の閉鎖状態を維持する。
この状態でグリップ保持凹部２１、２２によってグリップ保持孔２が形成されるとともに、その中にグリップＧが位置することとなる。またレバー保持凹部３１、３２によってレバー保持孔３が形成されるとともに、その中にレバーＬが位置することとなる。
このとき、レバーＬは引かれた状態が維持されるため、前輪Ｗにブレーキがかかった状態が維持される。
更にレバーＬにはブレーキマスターシリンダの反力やブレーキワイヤー（図示省略）を通じて引き戻そうとする力が働くため、係合凸部６１をその外側にある係合凹部６２に押し付け、これによりスナップ係合部６の係合力は更に強固なものとなる。
またこの実施例では、レバーＬの戻り力が最も強く作用するグリップ保持凹部２１、２２における基端部分が自由端側よりも幅広に設定されており、レバーＬの戻り力の作用面積が広くなることにより力が分散されるため、装飾性の高いグリップＧへの傷付けを防止することができる。
【００３３】
更に図４（ｄ）に示すように、ロック用孔５１０、５２０が連通して形成されたロック用孔５０に、適宜南京錠Ｋ等をかけることにより、スナップ係合部６の不用意な解除が防止される。
このようにして車輌ＢのグリップＧ及びレバーＬに組み付けられる本発明のレバーロック装置１は、図１に示すようにレバーＬを簡易的にロックし、車輌Ｂの傾斜場所での駐車時の不意な転倒を抑止することができるものである。
また図２に示すように、スタンドＳ（メンテナンススタンド）の使用時には、リフトアップ時に前輪Ｗが動いてしまうのを防止することができるため、車両メンテナンス時の補助工具として供される。
また多機能孔５１１にヘルメットロックワイヤー等を通し、その先端に設けられたループ部を、ロック用孔５０とともに南京錠Ｋにかけるような使用方も採り得る。
【００３４】
そしてレバーロック装置１を解除する際には、まず南京錠Ｋを開錠してロック用孔５０から取り外し、続いて操作突起７を外側（図３中では下方）に弾くことにより、ロック要素片１２を拡開させてスナップ係合部６を解除する。
次いでレバーＬを握りながらロック要素片１１を上方に持ち上げることにより、レバーロック装置１が取り除かれる。
【００３５】
〔他の実施例〕
本発明は上述した実施例を基本となる実施例とするものであるが、本発明の技術思想に基づいて以下に示す様な実施例を採ることもできる。
先ず図５（ａ）に示すように、グリップ保持孔２とレバー保持孔３とを連通状態とする形態を採るようにしてもよい。
また図５（ｂ）に示すように、仕切５を設けることなく、グリップ保持孔２とレバー保持孔３とを連通状態とする形態を採るようにしてもよい。
【００３６】
また図５（ｃ）に示すように、一方のロック要素片１１に対してグリップ保持凹部２１及びレバー保持凹部３１を形成し、他方のロック要素片１２は一例として平板状とするような構成を採るようにしてもよい。
【００３７】
また図５（ｄ）に示すように、一方のロック要素片１１に対してグリップ保持凹部２１を形成し、他方のロック要素片１２に対してレバー保持凹部３２を形成するような構成を採るようにしてもよい。
【００３８】
また上記図５（ａ）〜（ｄ）の実施例では、一例として図５（ｅ）に示すように、ロック要素片１１に形成された係合凸部６１が、ロック要素片１２に形成された係合凹部６２に嵌り込み、これらが弾性的に係脱できるような形態としたスナップ係合部６を採用するようにした。
【符号の説明】
【００３９】
１      レバーロック装置
１１    ロック要素片
１１１  ボス
１２    ロック要素片
１２１  ボス
１２２  ボス
１３    ピン
２      グリップ保持孔
２１    グリップ保持凹部
２２    グリップ保持凹部
３      レバー保持孔
３１    レバー保持凹部
３２    レバー保持凹部
５      仕切
５０    ロック用孔
５１    仕切突起
５１０  ロック用孔
５１１  多機能孔
５２    仕切突起
５２０  ロック用孔
６      スナップ係合部
６１    係合凸部
６２    係合凹部
７      操作突起
７１    滑止
Ｂ      車輌
Ｇ      グリップ
Ｋ      南京錠
Ｌ      レバー
Ｓ      スタンド
Ｗ      前輪
【図１】
2019162958.tif 000003
【図２】
2019162958.tif 000004
【図３】
2019162958.tif 000005
【図４】
2019162958.tif 000006
【図５】
2019162958.tif 000007